(57)【要約】  導光板の面内での位置決めを精度良く実施できる光源モジュール及び表示装置の提供。  光源が実装された基板と、端面から入射した光源からの光を一面から出射する導光板と、導光板の周縁を覆う枠体と、基板を枠体との間に挟み込んだ状態で枠体に固定する固定具とを備える光源モジュールにおいて、光源は、前記端面に沿って並置された複数のＬＥＤを備え、固定具は、複数のＬＥＤが並置された方向における導光板の位置を決める位置決め部を備える。
2015045814.tif 000002
【特許請求の範囲】
【請求項１】
光源が実装された基板と、端面から入射した前記光源からの光を一面から出射する導光板と、該導光板の周縁を覆う枠体と、前記基板を前記枠体との間に挟み込んだ状態で前記枠体に固定する固定具とを備える光源モジュールにおいて、
前記光源は、前記端面に沿って並置された複数のＬＥＤを備え、
前記固定具は、前記複数のＬＥＤが並置された方向における前記導光板の位置を決める位置決め部を備えることを特徴とする光源モジュール。
【請求項２】
前記導光板の他面に嵌合孔を形成してあり、
前記位置決め部は、前記嵌合孔に嵌合される被嵌合部である
ことを特徴とする請求項１に記載の光源モジュール。
【請求項３】
前記導光板の他面に対向配置され、前記導光板に入射された光を前記一面の側に反射する反射シート材を備え、
前記枠体は、前記導光体の側面を覆う側面部と、前記導光体の他面を覆う底面部とを有し、
前記固定具は、前記底面部の側へ突出する突出部を備え、
前記反射シート材は、前記突出部が挿通される挿通孔を有し、
前記固定具と前記底面部との間で挟み込んだ状態で前記反射シート材を保持してあることを特徴とする請求項２に記載の光源モジュール。
【請求項４】
前記固定具の前記基板表面からの長さ寸法を、前記光源の前記基板表面からの長さ寸法より長くしてあることを特徴とする請求項１から請求項３の何れか１つに記載の光源モジュール。
【請求項５】
前記固定具における前記光源を臨む部位に、前記光源の光出射角度が増す方向に傾斜した斜面を有することを特徴とする請求項１から請求項４の何れか１つに記載の光源モジュール。
【請求項６】
前記固定具は、白色系の樹脂により成形されていることを特徴とする請求項１から請求項５の何れか１つに記載の光源モジュール。
【請求項７】
請求項１から請求項６に記載の光源モジュールと、該光源モジュールが備える導光板の一面に対向配置された表示パネルとを備えることを特徴とする表示装置。
【発明の詳細な説明】
【技術分野】
【０００１】
本発明は、エッジライト方式の光源モジュール及び該光源モジュールを備えた表示装置に関する。
【背景技術】
【０００２】
液晶テレビジョン等の薄型と称される液晶の表示装置は、映像を表示する表示面を表側に有し、略直方体をなす表示パネルと、表示パネルの裏側に配され、表示パネルに対して光を照射する光源モジュールとを備える。【０００３】
光源モジュールは、表示パネルの裏側に拡散板及び該拡散板を支持する支持体を配し、拡散板の裏側に冷陰極蛍光ランプ（ＣＣＦＬ）又は発光ダイオード（ＬＥＤ）を配する直下ライト方式と、表示パネルの裏側に導光板及び該導光板を支持する支持体を配し、導光板の側面側に発光ダイオードを配するエッジライト方式とが一般に採用されている（例えば、特許文献１参照）。【０００４】
エッジライト方式の光源モジュールは、発光ダイオードが導光板の側面と対向するように複数並置され、導光板の側面から入光した光を、導光板内を拡散させながら導光板の一面から出光するため、拡散板の裏側に光源が複数並置される直下ライト方式に比べて表示装置の表裏厚さを薄くすることができ、薄型化を促進する点でエッジライト方式を採用するのが有利である。
【先行技術文献】
【特許文献】
【０００５】
【特許文献１】特開２００８−３００１７０号公報
【発明の概要】
【発明が解決しようとする課題】
【０００６】
直下ライト方式の光源モジュールでは、冷陰極蛍光ランプ又は発光ダイオードが拡散板の全面と対向するように複数並置されているため、光源部が発光する際に発生する熱が金属板製の支持体の全体に伝導され、支持体の全体において放熱が可能となる。【０００７】
一方、エッジライト方式の光源モジュールでは、光源部と導光板との間隔が広い場合には光の入光効率が低下し、要求輝度を満足することができないため、一般的には光源部と導光板との間隔を狭く設計してあることが多い。このため、光源部が発光する際に発生する熱は導光板に伝動することになるが、導光板の線膨張係数は高いため、光源部からの熱により導光板は膨張して光源部に接触し、光源部を破損させる虞があった。【０００８】
また、導光板は、例えば、側面から入光した光を前面側に出光させるための採光要素として、導光板の後面（光射出面と対向する面）に印刷、成形などによって形成された光散乱構造体、導光板の内部に形成された光散乱構造体などを有するため、光源部と接離する方向だけでなく、例えば、ＬＥＤの配列方向と平行な方向についても、導光板の位置を精度良く設計する必要があった。【０００９】
本発明は、斯かる事情に鑑みてなされたものであり、ＬＥＤの配列方向における導光板の位置を精度良く実施することができる光源モジュール及び該光源モジュールを備えた表示装置を提供することを目的とする。
【課題を解決するための手段】
【００１０】
本発明に係る光源モジュールは、光源が実装された基板と、端面から入射した前記光源からの光を一面から出射する導光板と、該導光板の周縁を覆う枠体と、前記基板を前記枠体との間に挟み込んだ状態で前記枠体に固定する固定具とを備える光源モジュールにおいて、前記光源は、前記端面に沿って並置された複数のＬＥＤを備え、前記固定具は、前記複数のＬＥＤが並置された方向における前記導光板の位置を決める位置決め部を備えることを特徴とする。【００１１】
本発明に係る光源モジュールは、前記導光板の他面に嵌合孔を形成してあり、前記位置決め部は、前記嵌合孔に嵌合される被嵌合部であることを特徴とする。【００１２】
本発明に係る光源モジュールは、前記導光板の他面に対向配置され、前記導光板に入射された光を前記一面の側に反射する反射シート材を備え、前記枠体は、前記導光体の側面を覆う側面部と、前記導光体の他面を覆う底面部とを有し、前記固定具は、前記底面部の側へ突出する突出部を備え、前記反射シート材は、前記突出部が挿通される挿通孔を有し、前記固定具と前記底面部との間で挟み込んだ状態で前記反射シート材を保持してあることを特徴とする。【００１３】
本発明に係る光源モジュールは、前記固定具の前記基板表面からの長さ寸法を、前記光源の前記基板表面からの長さ寸法より長くしてあることを特徴とする。【００１４】
本発明に係る光源モジュールは、前記固定具における前記光源を臨む部位に、前記光源の光出射角度が増す方向に傾斜した斜面を有することを特徴とする。【００１５】
本発明に係る光源モジュールは、前記固定具は、白色系の樹脂により成形されていることを特徴とする。【００１６】
本発明に係る表示装置は、前述の光源モジュールと、該光源モジュールが備える導光板の一面に対向配置された表示パネルとを備えることを特徴とする。
【発明の効果】
【００１７】
本発明によれば、複数のＬＥＤを並置してなる光源が実装された基板を導光板の側面を覆う枠体との間に挟み込んだ状態で枠体に固定する固定具を備え、この固定具がＬＥＤの配列方向における導光板の位置を決める位置決め部を有しているので、ＬＥＤに対する導光板の位置が精度良く定まり、良好な表示品位を達成することができる。また、光源が実装された基板の固定と、導光板の位置決めとを１つの固定具により実現できるので、部品点数の削減が可能となる。
【図面の簡単な説明】
【００１８】
【図１】実施の形態１に係る表示装置の全体構成を示す概略図である。
【図２】実施の形態１に係る表示装置の要部断面図である。
【図３】ＬＥＤ基板の固定方法を説明する説明図である。
【図４】ＬＥＤ基板を固定した状態を示す模式的斜視図である。
【図５】ＬＥＤガードクリップの斜視図である。
【図６】ＬＥＤガードクリップの正面図である。
【図７】ＬＥＤガードクリップの側面図である。
【図８】ＬＥＤガード部とＬＥＤチップとの関係を説明する説明図である。
【図９】実施の形態２におけるＬＥＤガード部とＬＥＤチップとの関係を説明する説明図である。
【図１０】実施の形態３に係る表示装置の要部断面図である。
【発明を実施するための形態】
【００１９】
本発明に係る光源モジュール及び該光源モジュールを備えた表示装置について、その実施の形態を示す図面を用いて具体的に説明する。
実施の形態１．
図１は実施の形態１に係る表示装置の全体構成を示す概略図であり、図２は実施の形態１に係る表示装置の要部断面図である。本実施の形態では、本発明に係る表示装置の一例としてエッジライト方式の光源モジュールを備えた液晶表示装置について説明する。液晶表示装置は、横長の長方形をなす液晶パネル１、及び液晶パネル１に対向配置される光源モジュール２を備える。
【００２０】
液晶パネル１の周縁はベゼル１０及び押さえ部材１１によって挟持されており、光源モジュール２はこの押さえ部材１１の内側に設けられている。光源モジュール２は、多数のＬＥＤチップ３０，３０，３０，…が線状に並置された状態で実装されるＬＥＤ基板３、ＬＥＤ基板３の周縁を覆い、ＬＥＤチップ３０から発せられる熱を放熱する放熱体としての機能を有するシャーシ４、シャーシ４にＬＥＤ基板３を固定するための固定具であるＬＥＤガードクリップ５、側面から入射したＬＥＤチップ３０からの光を前面側（液晶パネル１側）に出射する導光板６を備える。
【００２１】
本実施の形態では、２つのＬＥＤ基板３，３を導光板６の上端及び下端に対向するように配置する構成としたが、上端及び下端の一方に配置されるものであってもよく、左端及び右端の少なくとも一方に配置されるものであってもよい。
【００２２】
導光板６は、アクリル樹脂、ポリカーボネート樹脂等の合成樹脂製であり、略長方形に形成されている。導光板６の側面は、ＬＥＤ基板３上のＬＥＤチップ３０，３０，３０，…と対向するように配置され、導光板６の後面側には、高反射性を有する合成樹脂製の反射シート６１が設けられている。
【００２３】
導光板６には、例えば、側面から入光した光を前面側に出光させるための採光要素であるドットパターンが印刷される。採光要素としては、導光板６の後面（光射出面と対向する面）に印刷、成形などによって形成された光散乱構造体、導光板６の内部に形成された光散乱構造体、光の導光方向を変化させる光学要素などを用いることができる。導光板６の採光要素によって散乱した光、及び反射シート６１の表面で反射した光は、液晶パネル１側に射出される。これらの導光板６及び反射シート６１は、ＬＥＤガードクリップ５が備える位置決め部５４により面内での位置が定められて光源モジュール２内に配置される。このため、導光板６の上端及び下端付近の他面中央には嵌合孔６ａが設けられており、対応する反射シート６１の位置には挿通孔６１ａが設けられている。反射シート６１の挿通孔６１ａにＬＥＤガードクリップ５の位置決め部５４が挿通し、導光板６の嵌合孔６ａにＬＥＤガードクリップ５の位置決め部５４が嵌合することによって、導光板６及び反射シート６１の面内での位置が決定される。なお、導光板６及び反射シート６１の中央付近は、支持部材６２を介してシャーシ４の底面部４２に支持される。
【００２４】
導光板６と液晶パネル１との間には、拡散シート７１、プリズムシート７２、及び偏光シート７３を積層した光学シート７が配置される。拡散シート７１は、例えば、ＰＥＴ製フィルムまたはＰＣ製フィルムであり、導光板６から入光する光を拡散させる機能を有する。プリズムシート７２は、例えば、ポリエステル製のシート材の片面にアクリル樹脂で規則的なプリズムパターンを成形してなるものである。偏光シート７３は、例えば、ポリエチレンナフタレート製フィルムであり、液晶パネル１に入光させる光を直線偏光に変換する機能を有する。
【００２５】
図３はＬＥＤ基板３の固定方法を説明する説明図であり、図４はＬＥＤ基板３を固定した状態を示す模式的斜視図である。ＬＥＤ基板３は、横方向に細長い基板上に多数のＬＥＤチップ３０，３０，３０，…を基板の長手方向に沿って線状に並置して実装したものである。ＬＥＤ基板３に設けるＬＥＤチップ３０の個数は、表示装置の大きさに応じて適宜設計することが可能であり、例えば、７０個程度のＬＥＤチップ３０が設けられる。なお、紙面の都合上、図３では、ＬＥＤチップ３０を４０個配置した例を示している。
【００２６】
１つのＬＥＤチップ３０は、正面からみて３ｍｍ×５ｍｍ程度の大きさを有する略長方形状であり、基板面からの高さ（ＬＥＤチップ３０の厚み）は１ｍｍ程度の高さ（厚み）を有する。隣り合うＬＥＤチップ３０，３０の横方向の間隔は、ＬＥＤガードクリップ５が配置される箇所を除いて２ｍｍ程度であり、ＬＥＤガードクリップ５が配置される箇所においては４．５ｍｍ程度である。
【００２７】
シャーシ４は、表面側に向けて開口する、横方向に長い長方形状の箱型をなし、導光板６と対向する板状の底面部４２と、底面部４２の縁部から垂直方向に立設された側面部４１ａ〜４１ｄと備える。シャーシ４は、金属製であり、ＬＥＤ基板３に実装されたＬＥＤチップ３０，３０，３０，…を点灯させた際に、ＬＥＤチップ３０，３０，３０，…から発せられる熱を外部へ放出する構成としている。
【００２８】
本実施の形態では、シャーシ４の上下の側面部４１ａ，４１ｂにおける長手方向の中央付近にそれぞれＬＥＤガードクリップ５が取り付けられる。このため、側面部４１ａにおける長手方向の中央付近には、ＬＥＤガードクリップ５を位置決めするための切欠部４１１が設けられ、切欠部４１１の少し下側には２つの係止孔４１２，４１３が設けられている。また、底面部４２は、２つの係止孔４１２，４１３の近傍に係止孔４２１を備える。側面部４１ｂについても同様であり、側面部４１ｂは、ＬＥＤガードクリップ５を位置決めするための切欠部、及び切欠部の少し下側に位置する２つの係止孔を備え、底面部４２は２つの係止孔の近傍に係止孔を備える。
【００２９】
ＬＥＤガードクリップ５は、側面部４１ａに設けた切欠部４１１により取り付け位置が位置決めされ、側面部４１ａにおける２つの係止孔４１２，４１３と、底面部４２における１つの係止孔４２１とにより係止されることによって、シャーシ４に取り付けられる。このとき、ＬＥＤクリップ５とシャーシ４の側面部４１ａとの間にＬＥＤ基板３を挟み込んだ状態で、ＬＥＤクリップ５をシャーシ４に取り付けることにより、ＬＥＤ基板３はシャーシ４に固定される。
【００３０】
図５はＬＥＤガードクリップ５の斜視図、図６はその正面図、図７はその側面図である。ＬＥＤガードクリップ５は、上面側の係止部５１と、底面側の係止部５２と、係止部５１及び係止部５２の双方に連なる挟持部５３と、係止部５２の底面部材５２０から上向きに突設される位置決め部５４とを備え、白色系の樹脂により一体的に成形されている。
【００３１】
係止部５１は、挟持部５３の上端から後方へ設けられる上面部材５１０ａと、上面部材５１０ａの周縁の２箇所から夫々下方に突設される突片５１０ｂ，５１０ｃと、突片５１０ｂ，５１０ｃの下端から前方に突設される係止凸部５１１，５１２とにより構成される。係止部５１の係止凸部５１１，５１２は、シャーシ４の側面部４１ａに設けた２つの係止孔４１２，４１３に夫々嵌入されて係止されるように構成されている（図３を参照）。
【００３２】
係止部５２は、挟持部５３の下端から前方に設けられる底面部材５２０と、底面部材５２０の底面に突設される２つの係止凸部５２１，５２２とを備える。これらの係止凸部５２１，５２２は、ＬＥＤガードクリップ５の前後方向に配置され、前側の係止凸部５２１は、後側の係止凸部５２２よりも底面からの高さが低くなるように成形されている。係止部５２の係止凸部５２１，５２２は、共にシャーシ４の底面部４２に設けた係止孔４２１に嵌入されて係止されるように構成されている（図２を参照）。
【００３３】
ＬＥＤガードクリップ５の挟持部５３は、上側が係止部５１に連なる比較的に幅が狭いＬＥＤガード部５３１と、下側が係止部５２に連なる比較的幅が広い基板支持部５３２とを備える。
【００３４】
ＬＥＤガード部５３１は３ｍｍ程度の幅を有し、前後方向に１．５ｍｍ程度の厚みを有する。前述の如く、隣り合うＬＥＤチップ３０，３０の横方向の間隔は、ＬＥＤガードクリップ５が配置される箇所を除いて２ｍｍ程度であるから、任意のＬＥＤチップ３０，３０間にＬＥＤガード部５３１を配置することはできないが、比較的広い間隔（例えば、４．５ｍｍ）が設けられている中央付近の２つのＬＥＤチップ３０，３０間には、ＬＥＤガード部５３１を配置することができる。
【００３５】
前記中央付近の２つのＬＥＤチップ３０，３０間にＬＥＤガード部５３１を配置して、ＬＥＤガードクリップ５の２つの係止凸部５１１，５１２を、シャーシ４の外側から係止孔４１２，４１３に嵌入して係止し、ＬＥＤガードクリップ５の２つの係止凸部５２１，５２２をシャーシ４の係止孔４２１に嵌入して係止することにより、ＬＥＤガードクリップ５の挟持部５３とシャーシ４の側面部４１ａとの間でＬＥＤ基板３を挟持した状態で固定することができる。ＬＥＤガードクリップ５は、ＬＥＤ基板３の長手方向に幅が広い基板支持部５３２を備えているので、中央の一箇所にてＬＥＤ基板３を挟持する場合であっても、姿勢を安定させた状態でＬＥＤ基板３を支持することが可能となる。
【００３６】
位置決め部５４は、係止部５２の底面部材５２０から上向きに突設される直方体状の突出部であり、反射シート６１の挿通孔６１ａに挿通され、導光板６の嵌合孔６ａに嵌合される。これにより、ＬＥＤチップ３０，３０，３０，…が並ぶ方向における導光板６及び反射シート６１の位置を定めることができるので、例えば、導光板６の採光要素であるドットパターンと、ＬＥＤ基板３に並置したＬＥＤチップ３０，３０，…との位置精度を向上させることができ、良好な表示品位を達成できる。
【００３７】
図８はＬＥＤガード部５３１とＬＥＤチップ３０との関係を説明する説明図である。図８はＬＥＤガード部５３１における横断面を示している。ＬＥＤ基板３に実装されているＬＥＤチップ３０は基板表面から所定の高さｄ０（例えば、１．０ｍｍ程度）を有している。一方、ＬＥＤガードクリップ５におけるＬＥＤガード部５３１は、ｄ０より大きな厚みｄ１（例えば１．５ｍｍ程度）を有している。
【００３８】
すなわち、本実施の形態では、シャーシ４との間でＬＥＤ基板３を挟持したときのＬＥＤガード部５３１の基板表面からの高さは、ＬＥＤチップ３０の基板表面からの高さより高く、ＬＥＤガード部５３１をＬＥＤチップ３０の表面よりも導光板６の側へ突出させている。このため、ＬＥＤチップ３０を点灯させた際にＬＥＤチップ３０から発せられる熱が導光板６に伝わり、導光板６が面内方向に膨張したとしても、先にＬＥＤガード部５３１の表面に当接することになり、導光板６とＬＥＤチップ３０との接触が防止される。この結果、導光板６の膨張に伴うＬＥＤチップ３０の破損を回避することができる。
【００３９】
また、本実施の形態では、ＬＥＤガードクリップ５は、白色系の樹脂により形成されているため、ＬＥＤチップ３０から出射される光を反射させることができ、ＬＥＤガードクリップ５の影を作らないようにすることができる。
【００４０】
更に、本実施の形態では、ＬＥＤ基板３をシャーシ４に対してネジ止めすることなく取り付けることが可能であり、ネジが通るくらいの大きさを有する孔をＬＥＤ基板３に空ける必要がないため、ＬＥＤチップ３０同士の間隔を狭くすることが可能であり、間隔が大きい場合に発生し得る輝度ムラを軽減することができる。
【００４１】
更に、本実施の形態では、樹脂製のＬＥＤガードクリップ５を用いているので、ＬＥＤチップ３０から導光板６への熱の移動を小さくすることができる。
【００４２】
実施の形態２．
実施の形態１では、ＬＥＤガード部５３１における横断面を略長方形としたが、断面形状は長方形に限定されるものではなく、例えば、台形状としてもよい。本実施の形態では、ＬＥＤガード部５３１における横断面の形状が台形状である構成について説明を行う。
なお、光源モジュール２等の基本的な構成は、実施の形態１と全く同様であるため、その説明を省略することとする。
【００４３】
図９は実施の形態２におけるＬＥＤガード部５３１とＬＥＤチップ３０との関係を説明する説明図である。図９はＬＥＤガード部５３１における横断面を示している。ＬＥＤ基板３に実装されているＬＥＤチップ３０は基板表面から所定の高さｄ０（例えば、１．０ｍｍ程度）を有している。一方、ＬＥＤガードクリップ５におけるＬＥＤガード部５３１は、ｄ０及びｄ１より大きな厚みｄ２（例えば２．０ｍｍ程度）を有している。
【００４４】
実施の形態１と同様に、ＬＥＤチップ３０の表面よりも導光板６の側へ突出させたＬＥＤガード部５３１を設けているため、ＬＥＤチップ３０を点灯させた際にＬＥＤチップ３０から発せられる熱が導光板６に伝わり、導光板６が面内方向に膨張したとしても、先にＬＥＤガード部５３１の表面に当接することになり、導光板６とＬＥＤチップ３０との接触が防止される。実施の形態２では、実施の形態１と比べて突出量が大きいため、ＬＥＤチップ３０側への導光板６の膨張を効果的に抑えることができる。
【００４５】
実施の形態２では、ＬＥＤガード部５３１における横断面の形状を台形状とし、ＬＥＤガード部５３１におけるＬＥＤチップ３０を臨む部位は、ＬＥＤチップ３０から射出される光の出射角度が増す方向に傾斜した斜面５３１ａ，５３１ａを備える。また、ＬＥＤガードクリップ５の位置決め部５４は、基板３に対向する側の斜面５４１ａ，５４１ａと、基板３から離隔した側の斜面５４１ｂ，５４１ｂとを備え、これらの斜面５４１ａ，５４１ａ，５４１ｂ，５４１ｂにより、ＬＥＤチップ３０から射出される光を妨げないようにしている。この結果、ＬＥＤガード部５３１の両隣に配置されるＬＥＤチップ３０，３０から出射される光の範囲を拡げることができ、ＬＥＤチップ３０，３０間の間隔を広くしているＬＥＤ基板３の長手方向の中央付近において、輝度ムラをより効果的に改善することができる。
【００４６】
なお、実施の形態２では、ＬＥＤガード部５３１における横断面の形状を台形状としたが、ＬＥＤチップ３０，３０から出射される光の範囲を拡大できる形状であればどのような形状であってもよく、楕円形状、三角形状等であってもよい。
【００４７】
実施の形態３．
実施の形態１では、支持部材６２により導光板６及び反射シート６１の中央付近を支持する構成としたが、シャーシ４の底面部４２にて導光板６及び反射シート６１を支持する構成としてもよい。
なお、表示装置の全体構成は、実施の形態１と同様であるため、その説明を省略することとする。
【００４８】
図１０は実施の形態３に係る表示装置の要部断面図である。実施の形態３では、実施の形態１と同様に、導光板６及び反射シート６１は、ＬＥＤガードクリップ５が備える位置決め部５４により面内での位置が定められて光源モジュール２内に配置される。このため、導光板６の上端及び下端付近の他面中央には嵌合孔６ａが設けられており、対応する反射シート６１の位置には挿通孔６１ａが設けられている。反射シート６１の挿通孔６１ａにＬＥＤガードクリップ５の位置決め部５４が挿通し、導光板６の嵌合孔６ａにＬＥＤガードクリップ５の位置決め部５４が嵌合することによって、導光板６及び反射シート６１の面内での位置が決定される。
【００４９】
実施の形態３では、ＬＥＤガードクリップ５の底面部材５２０とシャーシ４の底面部４２とにより、反射シート６１を挟み込んだ状態で保持している。このため、反射シート６１が導光板６の他面より浮き上がることが防止され、輝度ムラの発生を抑えることができる。
【００５０】
なお、実施の形態１〜３では、光源モジュール２を備えた表示装置の構成について説明を行ったが、液晶パネル１及び光学シート７を有していない照明装置単体への適用も可能であることは勿論のことである。
【００５１】
また、実施の形態１〜３では、１つのＬＥＤガードクリップ５により、ＬＥＤ基板３をシャーシ４に固定する構成としたが、ＬＥＤガードクリップ５を複数用いてＬＥＤ基板３をシャーシ４に固定する構成としてもよい。例えば、実施の形態１では、ＬＥＤ基板３の長手方向における中央付近の１箇所でＬＥＤ基板３をシャーシ４に固定する構成としたが、ＬＥＤ基板３の長手方向の両端、ＬＥＤ基板３の長手方向の中央付近及び両端などのように、複数箇所にＬＥＤガードクリップ５を取り付け、シャーシ４に固定する構成としてもよい。
【００５２】
実施の形態１〜３では、ＬＥＤ基板３及びＬＥＤガードクリップ５は別体として説明を行ったが、ＬＥＤガードクリップ５をＬＥＤ基板３と一体的に成形する構成としてもよい。この場合、ＬＥＤ基板３の長手方向の中央付近にＬＥＤガード部を設け、シャーシ４の係止孔４１２，４１３に嵌入して係止される係止凸部をＬＥＤ基板３の上側に設け、及びシャーシ４の係止孔４２１に嵌入して係止される係止凸部をＬＥＤ基板３の下側に設ければよい。ＬＥＤ基板３に設けた上側の２つの係止凸部を、シャーシ４の係止孔４１２，４１３に裏面側から嵌入して係止し、ＬＥＤ基板３に設けた下側の２つの係止凸部をシャーシ４の係止孔４２１に嵌入して係止することにより、シャーシ４へのＬＥＤ基板３の取り付けが完了し、実施の形態１及び２で説明したものと同様の効果を得ることができる。
【００５３】
今回開示された実施の形態は、全ての点で例示であって、制限的なものではないと考えられるべきである。本発明の範囲は、上述した意味ではなく、請求の範囲によって示され、請求の範囲と均等の意味及び範囲内での全ての変更が含まれることが意図される。また、各実施の形態で記載されている技術的特徴は、お互いに組み合わせることが可能である。
【符号の説明】
【００５４】
１  液晶パネル
２  光源モジュール
３  ＬＥＤ基板
４  シャーシ
５  ＬＥＤガードクリップ
６  導光板
７  光学シート
５３  挟持部
５４  位置決め部
５３１  ＬＥＤガード部
【図１】
2015045814.tif 000003
【図２】
2015045814.tif 000004
【図３】
2015045814.tif 000005
【図４】
2015045814.tif 000006
【図５】
2015045814.tif 000007
【図６】
2015045814.tif 000008
【図７】
2015045814.tif 000009
【図８】
2015045814.tif 000010
【図９】
2015045814.tif 000011
【図１０】
2015045814.tif 000012
【手続補正書】
【提出日】平成28年1月26日(2016.1.26)
【手続補正１】
【補正対象書類名】特許請求の範囲
【補正対象項目名】全文
【補正方法】変更
【補正の内容】
【特許請求の範囲】
【請求項１】
光源が実装された基板と、端面から入射した前記光源からの光を一面から出射する導光板と、該導光板の周縁を覆う枠体と、前記基板を前記枠体との間に挟み込んだ状態で前記枠体に固定する固定具とを備える光源モジュールにおいて、
前記光源は、前記端面に沿って並置された複数のＬＥＤを備え、
前記固定具は、前記枠体に係止されており、かつ前記複数のＬＥＤが並置された方向における前記導光板の位置を決める位置決め部を備えることを特徴とする光源モジュール。
【請求項２】
前記枠体の底面部及び側面部の少なくとも一方に設けられた孔に係止される凸部が前記固定具に成形されていることを特徴とする請求項１に記載の光源モジュール。
【請求項３】
前記導光板の他面に嵌合孔を形成してあり、
前記位置決め部は、前記嵌合孔に嵌合される被嵌合部である
ことを特徴とする請求項１又は請求項２に記載の光源モジュール。
【請求項４】
前記他面が、前記導光板の前記一面に対向する面であることを特徴とする請求項３に記載の光源モジュール。
【請求項５】
前記導光板の他面に対向配置され、前記導光板に入射された光を前記一面の側に反射する反射シート材を備え、
前記枠体は、前記導光体の側面を覆う側面部と、前記導光体の他面を覆う底面部とを有し、
前記固定具は、前記底面部の側へ突出する突出部を備え、
前記反射シート材は、前記突出部が挿通される挿通孔を有し、
前記固定具と前記底面部との間で挟み込んだ状態で前記反射シート材を保持してあることを特徴とする請求項３又は請求項４に記載の光源モジュール。
【請求項６】
前記固定具の前記基板表面からの長さ寸法を、前記光源の前記基板表面からの長さ寸法より長くしてあることを特徴とする請求項１から請求項５の何れか１つに記載の光源モジュール。
【請求項７】
前記固定具における前記光源を臨む部位に、前記光源の光出射角度が増す方向に傾斜した斜面を有することを特徴とする請求項１から請求項６の何れか１つに記載の光源モジュール。
【請求項８】
前記固定具は、白色系の樹脂により成形されていることを特徴とする請求項１から請求項７の何れか１つに記載の光源モジュール。
【請求項９】
請求項１から請求項８に記載の光源モジュールと、該光源モジュールが備える導光板の一面に対向配置された表示パネルとを備えることを特徴とする表示装置。
【国際調査報告】
2015045814.tif 000013
2015045814.tif 000014
2015045814.tif 000015
2015045814.tif 000016